(57)【特許請求の範囲】
【請求項１】
回転子及び固定子を有する電動機と、前記回転子と摺動する少なくとも一対のブラシ部と、一端が開口し内部に前記電動機と前記ブラシ部を収納するハウジングと、前記回転子に設けられた回転軸と、該回転軸に取り付けられた遠心ファンと、前記遠心ファンから吐出された風を前記ハウジング内の流路に導くディフューザと、前記遠心ファン及び前記ディフューザを覆うように前記ハウジングに取り付けられた中央部に吸込口を有するファンケーシングとを有し、
前記ハウジングの開口側には、外周側に向かって突出する突出部が形成され、該突出部に風を排出する開口部を形成し、
前記固定子外周と前記ハウジング内径で４つの流路が形成され、
前記一対のブラシ部のそれぞれは前記４つの流路のうち２つの流路に位置し、
前記ディフューザの下方にリターンガイドを設け、
該リターンガイドは複数の湾曲状のリターンガイドベーンから構成され、
隣り合う前記リターンガイドベーンの間に風路が形成され、
前記突出部のうち、前記ブラシ部が位置する前記流路に向かう前記風路が位置する部分には前記開口部を設けず、前記ブラシ部が位置しない前記流路に向かう前記風路が位置する部分には前記開口部を設け、
該リターンガイドベーンが位置する前記開口部の少なくとも１箇所の位置に、開口していない部分を設けたことを特徴とする電動送風機。
【請求項２】
回転子及び固定子を有する電動機と、前記回転子と摺動する少なくとも一対のブラシ部と、一端が開口し内部に前記電動機と前記ブラシ部を収納するハウジングと、前記回転子に設けられた回転軸と、該回転軸に取り付けられた遠心ファンと、前記遠心ファンから吐出された風を前記ハウジング内の流路に導くディフューザと、前記遠心ファン及び前記ディフューザを覆うように前記ハウジングに取り付けられた中央部に吸込口を有するファンケーシングとを有し、
前記ハウジングの開口側には、外周側に向かって突出する突出部が形成され、該突出部に風を排出する開口部を形成し、
前記固定子外周と前記ハウジング内径で４つの流路が形成され、
前記一対のブラシ部のそれぞれは前記４つの流路のうち２つの流路に位置し、
前記ディフューザは複数のディフューザベーンを有し、該ディフューザベーンの上方側に環状体が設けられ、前記ディフューザの下方側に仕切板が設けられ、前記仕切り板の下方側に複数の湾曲状のリターンガイドベーンを有するリターンガイドを有するリターンガイドが設けられ、
前記ディフューザベーンの後縁側には貫通孔が設けられ、
隣り合う前記リターンガイドベーンの間に風路が形成され、
前記突出部のうち、前記ブラシ部が位置する前記流路に向かう前記風路が位置する部分には前記開口部を設けず、前記ブラシ部が位置しない前記流路に向かう前記風路が位置する部分には前記開口部を設け、
該リターンガイドベーンが位置する前記開口部の少なくとも１箇所の位置に、開口していない部分を設けたことを特徴とする電動送風機。
【請求項３】
請求項１または２に記載された電動送風機を収納する電動送風機室と集塵室とを収納する掃除機本体と、一端が該掃除機本体に接続されるホースと、一端が該ホースの他端に接続される手元操作部と、一端が該手元操作部の他端に接続される延長管と、該延長管の他端に接続される吸口体とを備えたことを特徴とする電気掃除機。
【発明の詳細な説明】
【技術分野】
【０００１】
本発明は、電動送風機及びそれを備えた電気掃除機に関するものである。
【背景技術】
【０００２】
従来の電気掃除機用の電動送風機としては、一端が開口されたハウジングの開口側に、軸受を収納するブラケットが取り付けられ、ブラケットから突出された回転子軸に取り付けた遠心ファンとブラケットとの間にディフューザを配置し、ディフューザ及びファンを覆ってブラケットの外周部にファンケーシングが取り付けられている。
【０００３】
ハウジングには整流子モータのモータステータが固定され、反ファン側のハウジング側面には排気口が設けられている。また、ファンケーシングが取り付けられているブラケットに複数の開口が設けられ、遠心ファンからの気流の一部をその開口を介して排出し、ハウジングの外表面沿って案内するように切り起こし部が設けられている。これにより、ハウジング内を流れる気流と外側を流れる気流により、整流子モータの冷却が行われるようになっている（例えば、特許文献１参照）。
【０００４】
また、従来の電動送風機では、一端が開口されたハウジングの開口側に、軸受を収納するブラケットが取り付けられ、ブラケットには複数の開口を備え、その開口の総面積を反ファン側の排気口総面積の７０〜８０％とし、開口の外周側の縁部とリターンガイドの外周端部とほぼ一致させ、遠心ファンからの気流を、開口と排気口の双方から排出させている（例えば特許文献２参照）。
【０００５】
また、従来の電動送風機では、一端が開口されたハウジングの開口側に、軸受を収納するブラケットが取り付けられ、ブラケットに開口を設け、その開口から排出される気流を整流子モータのブラシホルダーに当てるようにしている（例えば特許文献３参照）。
【０００６】
【特許文献１】特開平３−１０５０９９号公報
【特許文献２】特開平１０−２６０９９号公報
【特許文献３】特開２００５−２０１１５７号公報
【発明の開示】
【発明が解決しようとする課題】
【０００７】
特許文献のような従来技術によると、ディフューザから出た気流の一部を、整流子モータが収納されているハウジング内部を通さずに排出することが出来るので、損失を少なくでき送風機効率を向上させることができる。
【０００８】
整流子モータが収納されているハウジング内を流れ反遠心ファン側の排気口から流出する気流は、整流子モータの特に温度が高くなる整流子と当接するブラシを冷却する作用が強いが、特許文献１，２ではブラシ冷却への配慮がなされていない。それは、ブラケットに複数の開口を設けているため、モータ内部の冷却に使われる風量が低下し、ブラシがある流路上にも開口を設けているため、ブラシの冷却が不十分となりモータの寿命が短くなる恐れがあった。
【０００９】
また、特許文献３に記載の技術においては、開口からの気流をブラシホルダーに当て、ブラシを間接的に冷却するようにしているが、ブラシホルダーとブラシの間には空気層があるために、ブラシ自体の冷却が不十分であった。
【００１０】
さらに、開口を設けることで、遠心ファンから発生する騒音をケーシングから直接外部に放出させることになるため、電動送風機やそれを搭載した電気掃除機の騒音を増大するという問題があった。
【００１１】
本発明の目的は、以上のような従来の課題を解決しようとするものであって、電動機の長寿命化を図り、送風機効率を向上させることにある。
【００１２】
また、本発明の目的は、遠心ファンから発生する騒音を低減しながら、電動機の寿命と送風機効率を向上させることにある。
【００１３】
さらに、本発明の目的は、該電動送風機を用いることで、吸込仕事率を向上させた電気掃除機を提供することにある。
【課題を解決するための手段】
【００１４】
上記目的を達成するために本発明の特徴とするところは、回転子及び固定子を有する電動機と、前記回転子と摺動する少なくとも一対のブラシ部と、一端が開口し内部に前記電動機と前記ブラシ部を収納するハウジングと、前記回転子に設けられた回転軸と、該回転軸に取り付けられた遠心ファンと、前記遠心ファンから吐出された風を前記ハウジング内の流路に導くディフューザと、前記遠心ファン及び前記ディフューザを覆うように前記ハウジングに取り付けられた中央部に吸込口を有するファンケーシングとを有し、前記ハウジングの開口側には、外周側に向かって突出する突出部が形成され、該突出部に風を排出する開口部を形成し、前記固定子外周と前記ハウジング内径で４つの流路が形成され、前記一対のブラシ部のそれぞれは前記４つの流路のうち２つの流路に位置し、前記ディフューザの下方にリターンガイドを設け、該リターンガイドは複数の湾曲状のリターンガイドベーンから構成され、隣り合う前記リターンガイドベーンの間に風路が形成され、前記突出部のうち、前記ブラシ部が位置する前記流路に向かう前記風路が位置する部分には前記開口部を設けず、前記ブラシ部が位置しない前記流路に向かう前記風路が位置する部分には前記開口部を設け、該リターンガイドベーンが位置する前記開口部の少なくとも１箇所の位置に、開口していない部分を設けたことにある。
【００１５】
また、上記目的を達成するために本発明の特徴とするところは、回転子及び固定子を有する電動機と、前記回転子と摺動する少なくとも一対のブラシ部と、一端が開口し内部に前記電動機と前記ブラシ部を収納するハウジングと、前記回転子に設けられた回転軸と、該回転軸に取り付けられた遠心ファンと、前記遠心ファンから吐出された風を前記ハウジング内の流路に導くディフューザと、前記遠心ファン及び前記ディフューザを覆うように前記ハウジングに取り付けられた中央部に吸込口を有するファンケーシングとを有し、前記ハウジングの開口側には、外周側に向かって突出する突出部が形成され、該突出部に風を排出する開口部を形成し、前記固定子外周と前記ハウジング内径で４つの流路が形成され、前記一対のブラシ部のそれぞれは前記４つの流路のうち２つの流路に位置し、前記一対のブラシ部のそれぞれは前記４つの流路のうち２つの流路に位置し、前記ディフューザは複数のディフューザベーンを有し、該ディフューザベーンの上方側に環状体が設けられ、前記ディフューザの下方側に仕切板が設けられ、前記仕切り板の下方側に複数の湾曲状のリターンガイドベーンを有するリターンガイドが設けられ、前記ディフューザベーンの後縁側には貫通孔が設けられ、隣り合う前記リターンガイドベーンの間に風路が形成され、前記突出部のうち、前記ブラシ部が位置する前記流路に向かう前記風路が位置する部分には前記開口部を設けず、前記ブラシ部が位置しない前記流路に向かう前記風路が位置する部分には前記開口部を設け、該リターンガイドベーンが位置する前記開口部の少なくとも１箇所の位置に、開口していない部分を設けたことにある。
【発明の効果】
【００１７】
本発明によれば、ブラシを効率よく冷却することができ、電動機の長寿命化が図られ、信頼性を向上させることができる。
【００１８】
また、本発明によれば、遠心ファンから発生する騒音を低減しながら、電動機の寿命と送風機効率を向上させることができる。
【発明を実施するための最良の形態】
【００１９】
以下本発明による実施例について図面を参照し説明する。
【実施例１】
【００２０】
図１及び図２により、本発明の一実施例に係る電気掃除機について説明する。
【００２１】
図１に本発明の一実施例に係る電動掃除機の外観斜視図を示す。２０１は塵埃を集塵する集塵室及び集塵するのに必要な吸込気流を発生させる電動送風機３０８（図２）を収納する掃除機本体、２０２は一端が掃除機本体２０１に接続されるホース、２０３は一端がホース２０２の他端に接続される手元操作部、２０４は一端が手元操作部２０３の他端に接続される延長管、２０５は延長管２０４の他端に接続される吸口体である。２０６は手元操作部２０３に設けられた電動送風機３０８の入切を行うスイッチ操作部である。
【００２２】
以上の構成において、手元操作部２０３のスイッチ操作部２０６を操作すると、掃除機本体２０１に収納された電動送風機３０８が運転し、吸込気流を発生させる。そして、吸口体２０５から塵埃を吸込み、延長管２０４，手元操作部２０３，ホース２０２を通して掃除機本体２０１の集塵室に集塵する。
【００２３】
次に、図２に示す電気掃除機における掃除機本体２０１の縦断側面図を用いて、掃除機本体２０１について説明する。
【００２４】
掃除機本体２０１は、下ケース３０１，上ケース３０２及び集塵蓋３０３により外郭が構成される。集塵蓋３０３には吸込口３０４が形成され、その内側には、前記吸込口３０４に接合される集塵袋３０５を収容する集塵室３０６が形成されている。集塵室３０６の後方には、電動送風機室３０７が後続し、電動送風機３０８が収納されている。この電動送風機３０８の吸気側は、補助フィルタ３０９を介して集塵室３０６と連通している。電動送風機３０８の排気側は、排気室及び排気フィルタを介して排気口３１０から外部へ開放される。なお、この集塵室３０６はサイクロン集塵としても良い。
【００２５】
次に、図３から図７を参照して電動送風機３０８について説明する。図３は本発明の電動送風機の実施例である半縦断面図で、図４はブラケット４を一部切り欠いた電動機の平面図を示し、図５は図３のＡ−Ａ断面を示し、図６はディフューザ１４の平面図を、図７はディフューザ１４，リターンガイド１５など送風機１の静止流路部の模式図である。この電動送風機３０８は、送風機１と電動機２に大別される。
【００２６】
電動機２は、一端が開口された筒状のハウジング３及びハウジング３の開口部側に配置されたブラケット４から成る電動機ケースと、前記電動機ケース内に収納される回転軸５を有するモータロータ６（回転子）及びステータコイル７が巻装されたモータステータ８（固定子）から構成される。モータロータ６への電気の供給は、ブラシ部１０とそれに接触するコンミテータ１１により伝えられている。
【００２７】
電動機２のモータステータ８は正面視が略八角形状で、４つの長辺８ａと４つの短辺８ｂが交互に配設され、４つ短辺８ｂがハウジング３に固定されている。モータステータ８の内側には、対向して一対のステータコイル７が巻装されている。モータステータ８の４つの長辺８ａの外周とハウジング３の内径で４つの扇状の流路２０ａ，２０ｂを形成している。ステータコイル７が無い側の流路２０ｂの下流側にブラシ部１０が配設されている。ブラシ部１０はブラシホルダー１０ａによってハウジング３に螺子で固定されている。ブラシが配設されている流路２０ｂの上流側には、ブラケット４が螺子で固定され、ブラケット４には軸受９が保持され、回転軸５を支持している。
【００２８】
送風機１は、遠心ファン１２と、該遠心ファン１２を収納するファンケーシング１３及び、ディフューザ１４と該ディフューザ１４の裏面にリターンガイド１５を持つ静止流路部とを含み構成される。
【００２９】
送風機１は、回転軸５の端部にナット１６によって固定された複数の羽根を有する遠心ファン１２と、遠心ファン１２の外周側に配置された、複数のディフューザベーン１４ａを有するディフューザ１４と、このディフューザベーン１４ａの上方（ファンケーシング１３）側に設けられた環状体１７と、ディフューザ１４の下方（ブラケット４）側に設けられた仕切板１８と、この仕切板１８の下方（ブラケット４）側に形成された複数枚のリターンガイドベーン１５ａを有するリターンガイド１５により構成され、遠心ファン１２と、ディフューザ１４と、リターンガイド１５とを内包し、中央に空気吸込口１３ａを有し、ハウジング３に接続されるファンケーシング１３とから構成されている。ファンケーシング１３には、シール部材１９は配設されており、遠心ファン１２と概略接触しており、漏れを防ぐ構造を有している。本実施例では、複数のディフューザベーン１４ａを有するディフューザ１４と、仕切板１８と、複数枚のリターンガイドベーン１５ａを有するリターンガイド１５とで固定案内羽根を形成し、遠心ファン１２から吐出された風をハウジング３内の風路に導くようにしている。また、必要に応じて環状体１７を設けて固定案内羽根を形成してもよい。
【００３０】
図６に示すように、ディフューザ１４のディフューザベーン１４ａの後縁は、ファンケーシングの近傍に位置し、ディフューザベーン１４ａの外周端からそのディフューザベーン１４ａの外周側の面に沿って内方に切れ込んだ略三角形状の凹部の流路である三角窓１４ｂ（切欠き部）が形成されている。
【００３１】
ハウジング３のファンケーシング１３と嵌合する一端開口縁部は外周に向かって曲げられ突出する突出部３ａを有し、この突出部３ａの外周側端部はハウジング３の開口側に向かって折り曲げられ、略円筒形状の取付部３ｂを形成している。ファンケーシング１３はハウジング３の取付部３ｂに圧入嵌合され、ハウジング３に固定されている。
【００３２】
ハウジング３の突出部３ａには電動機２の内部を通過せず風を排出する開口部２１を形成している。この開口部２１は、図４及び図５に示すように回転軸５の軸方向に向かって開口すると共に、ブラシ部１０が位置する流路２０ｂの上流側の突出部３ａ上には開口部２１が設けられていない。
【００３３】
上記のように構成された電動送風機３０８で電動機２を駆動すると、ファンケーシング１３の吸込口１３ａから流入した空気は、遠心ファン１２で昇圧および増速される。遠心ファン１２から吐出された空気流は、ディフューザベーン１４ａの翼間で減速されることによって運動エネルギーが圧力エネルギーに変換され圧力が上昇する。ディフューザ１４から吐出された空気流は、図６，図７の矢印で示すように三角窓１４ｂで略９０゜転向する。その後、２つの空気流に分流し、その一部はハウジング３の開口部２１から排出されハウジング３の外部へ排気される。また分流した他方は、さらに略９０゜転向して、リターンガイド１５に流入する。リターンガイド１５を通過した流れは、ハウジング３内に流入し、ハウジング３内のモータロータ６，ステータコイル７，モータステータ８，ブラシ部１０，コンミテータ１１を冷却してハウジング３の排気口３ｃから外部へ排出される。
【００３４】
図４，図５に示すように、ブラシ部１０が位置する流路２０ｂの上流側のハウジング３の突出部３ａには開口部２１を設けていないため、ディフューザ１４から流出した空気流は、扇状の４つの流路２０ａ，２０ｂのうちブラシ部１０がある流路２０ｂ内には多くの風が流れる。また、ブラシ部１０の無い流路２０ａには開口部２１があるために、ハウジング３の外部に排気される風量が多く、流路２０ａには少なく流れる。
【００３５】
電動機２の寿命は、コンミテータ１１と当接するブラシ部１０の温度と相関があり、ブラシ部１０を冷却することにより、電動機２の寿命を延ばすことができる。本実施例により、ブラシ部１０を効率良く冷却することができるので、ブラシ部１０の長寿命化、すなわち電動機２の長寿命化が図られる。また、ブラシ部１０への冷却に関与が小さい流路２０ａでは冷却風量が少ないため、流路２０ａ内の流速が遅く損失を低減でき、送風機効率を向上させることができる。
【００３６】
すなわち、電動送風機３０８の効率を向上することができ、電動機２の長寿命化が図られ、信頼性が高い電動送風機３０８を得ることができる。
【００３７】
したがって、掃除機本体２０１にこの電動送風機３０８を搭載することで、電気掃除機の信頼性が高く、吸込仕事率を向上させることができる。
【００３８】
以上のように本実施例では、電動機２のモータステータ８とハウジング３で形成される扇状の４つの流路２０ａ，２０ｂのうち、ブラシ部１０が配設されている流路の上流側のハウジング３には電動機を通過せず風を排出する開口部を形成していないので、ディフューザ１４から出た気流は、扇状の４つの流路２０ａ，２０ｂのうちブラシ部１０がある流路内には多く流れ、ブラシ部１０の無い流路では少なく流れる。これによって、ブラシ部１０を効率よく冷却することができ、電動機２の長寿命化が図られ、信頼性を向上させることができる。また、ブラシ部１０への冷却に関与が小さい流路では風量が少ないため、流路内の流速が遅くなり損失を低減でき、送風機効率を向上させることができる。
【実施例２】
【００３９】
次に、本発明の他の実施例を図８を用い説明する。図８は図３のＡ−Ａ断面である。上記実施例と同一部品については同一の符号を用い、その説明は省略する。
【００４０】
上記実施例では、ハウジング３の突出部３ａには電動機２の内部を通過せず風を排出する開口部２１が、ブラシ部１０の位置する流路２０ｂの上流側の突出部３ａ上には設けられていないが、図８に示すように、ブラシ部１０が位置する流路２０ｂの上流側の突出部３ａ上において、ブラシ部１０が位置する部分の風の流れの前側を塞ぎ、ブラシ部１０の位置の後ろ側から開口部２１を形成したものである。
【００４１】
ディフューザ１４から出た空気流の流れは旋回しているため、ブラシ部１０が位置する部分の風の流れの前側を塞ぎ、ブラシ部１０の位置から後側に開口部２１が配置されていても、ブラシ部１０の冷却効果を維持することができ、冷却に関与の小さい流路の冷却風をハウジング３の外に排気することができ、送風機効率をさらに向上させることができる。よって、電動送風機３０８の電動機２の長寿命化が図られ、効率をさらに向上することができる。
【００４２】
リターンガイド１５は複数枚のリターンガイドベーン１５ａから構成され、隣り合うリターンガイドベーン１５ａの間に風路が形成されている。この風路を流れる風は、ハウジング５の外周側から内周側に向かって流れる。そして、風は４つの扇状の流路２０ａ，２０ｂへ向かうが、流路２０ａへ向かう風の一部は流路２０ａへ向かう途中に形成された開口部２１からハウジング３の外部に排出される。流路２０ｂへ向かう風は、そのほとんどが流路２０ａ，２０ｂへ導かれる。本実施例では、隣り合うリターンガイドベーン１５ａの間に形成される複数の風路のうち、ブラシ部１０を冷却する流路２０ｂに向かう風路が位置する突出部３ａには、開口部２１を形成しないようにしている。このような構成により、送風機の効率を向上させつつ、ブラシの冷却を行うことができる。
【００４３】
実施例１及び２では、開口部２１はハウジング３の周方向の略１／４以上に亘って形成されている。ハウジング３の強度を高める手段について図９を用いて説明する。図９は図３のＡ−Ａ断面である。上記実施例と同一部品については同一の符号を用い、その説明は省略する。ディフューザ１４の下方に位置するリターンガイドベーン１５ａは開口部２１を跨ぐように設けられているので、開口部２１の一部分はリターンガイドベーン１５ａによって塞がれる。
【００４４】
本実施例では、リターンガイドベーン１５ａの位置する開口部２１の１箇所に回転中心に向けリターンガイドベーン１５ａの幅と同等幅の開口していない部分（補強部２２）を設けたものである。開口部２１のリターンガイドベーン１５ａによって塞がれているところに、開口していない部分を設けているため、冷却性能には影響せずに、ハウジング３の強度を強めることができ、さらに信頼性の高い電動送風機３０８を得ることができる。
【実施例３】
【００４５】
次に、本発明の他の実施例を図１０を用い説明する。図１０は本実施例に係る電動送風機の半縦断面図で、図１１はディフューザ１４の斜視図（環状体１７は図示せず）である。上記実施例と同一部品については同一の符号を用い、その説明は省略する。
【００４６】
ディフューザ１４は、ディフューザベーン１４ａ全ての後縁側に貫通孔２３を設けたものである。ディフューザベーン１４ａに貫通孔２３を設けることで、境界層が発達するディフューザベーン１４ａの凸面側２４の領域と、境界層が薄く主流が近接して流れるディフューザベーン１４ａの凹面側２５の領域とが互いに接続することになる。凸面側２４の圧力は凹面側２５よりも高いので、凸面側２４から凹面側２５に向かって漏れ流れが生じ、凸面側２４の境界層を吸い出して、凹面側２５の主流側に向けて噴出する。その結果、それまで凹面側２５に偏って流れていた主流が流路中央部分に流れることになる。また、ディフューザベーン１４ａの凸面側２４の方が三角窓１４ｂが広く開いているので、ディフューザ１４から出た流れは三角窓１４ｂへ流れやすくなりスムーズな曲がり流れを実現し、ハウジング３の開口部２１から排気されやすくなる。そのため、ディフューザベーン１４ａに貫通孔２３の無いものよりも送風機効率を改善させることができる。
【００４７】
また、ハウジング３に開口部２１を設けることで、遠心ファン１２から発生する騒音をファンケーシング１３から直接外部に放出させることになるため、電動送風機３０８やそれを搭載した電気掃除機の騒音は増大する。しかし、ディフューザベーン１４ａに設けた貫通孔２３により、ディフューザベーン１４ａ間を通過する音波を貫通孔２３を通じてディフューザベーン１４ａの両側で干渉させて弱めることができるので電動送風機自体の騒音が低減される。そのため、ハウジング３に開口部２１があっても騒音低減が図られ、騒音低減と効率改善を両立することができる。
【００４８】
したがって、この電動送風機３０８を搭載することによって、電気掃除機の低騒音化を図ることができる。
【産業上の利用可能性】
【００４９】
以上のように、本発明にかかる電動送風機とそれを備えた電気掃除機は、電動送風機の信頼性の向上及び効率の向上が図られる。よって、電気掃除機の信頼性向上と吸込仕事率の向上が図られる。また、電動送風機を用いる家庭用電化機器，産業機器等の用途にも幅広く適用できる。
【図面の簡単な説明】
【００５０】
【図１】本発明の一実施例に係る電気掃除機の外観斜視図である。
【図２】本発明の一実施例に係る掃除機本体の縦断面図である。
【図３】本発明の一実施例に係る電動送風機の半縦断面図である。
【図４】図３のブラケットの一部切り欠いた電動機の平面図である。
【図５】図３のＡ−Ａ断面である。
【図６】ディフューザの平面図である。
【図７】送風機の静止流路部の模式図である。
【図８】本発明の一実施例に係る電動送風機の電動機の平面図である。
【図９】本発明の一実施例に係る電動送風機の電動機の平面図である。
【図１０】本発明の一実施例に係る電動送風機の半縦断面図である。
【図１１】ディフューザの斜視図である。
【符号の説明】
【００５１】
１  送風機
２  電動機
３  ハウジング
３ａ  突出部
３ｂ  取付部
３ｃ  排気口
４  ブラケット
５  回転軸
６  モータロータ
７  ステータコイル
８  モータステータ
８ａ  モータステータ外周の長辺
８ｂ  モータステータ外周の短辺
９  軸受
１０  ブラシ部
１０ａ  ブラシホルダー
１１  コンミテータ
１２  遠心ファン
１３  ファンケーシング
１３ａ，３０４  吸込口
１４  ディフューザ
１４ａ  ディフューザベーン
１５  リターンガイド
１５ａ  リターンガイドベーン
１６  ナット
１７  環状体
１８  仕切板
１９  シール部材
２０ａ，２０ｂ  流路
２１  開口部
２２  補強部
２３  貫通孔
２０１  掃除機本体
２０２  ホース
２０３  手元操作部
２０４  延長管
２０５  吸口体
２０６  スイッチ操作部
３０１  下ケース
３０２  上ケース
３０３  集塵蓋
３０５  集塵袋
３０６  集塵室
３０７  電動送風機室
３０８  電動送風機
３０９  補助フィルタ
３１０  排気口
【図１】
0004951588.tif 000002
【図２】
0004951588.tif 000003
【図３】
0004951588.tif 000004
【図４】
0004951588.tif 000005
【図５】
0004951588.tif 000006
【図６】
0004951588.tif 000007
【図７】
0004951588.tif 000008
【図８】
0004951588.tif 000009
【図９】
0004951588.tif 000010
【図１０】
0004951588.tif 000011
【図１１】
0004951588.tif 000012